(57)【特許請求の範囲】
【請求項１】
魚類を通過させるための魚道の上方に、幅方向に間隔をおいて前記魚道の流れの方向に延びるように複数の防鳥糸が張設されてなる防鳥装置であって、
前記防鳥糸の少なくとも一端は前記魚道に浮遊するフロート部材に接続されていることを特徴とする防鳥装置。
【請求項２】
前記防鳥糸に張力を加える機構を備えることを特徴とする請求項１記載の防鳥装置。
【発明の詳細な説明】
【技術分野】
【０００１】
本発明は、ダムや堰などに設けられた魚道を通過する魚類を鳥類より保護するための防鳥装置に関する。
【背景技術】
【０００２】
従来より、河川に堰やダムを構築する際には、これら堰やダムの下流側から上流側へ魚類が遡上できるように、堰やダムの上流側と下流側とを結ぶ魚道を設けている。ところが、このような魚道は川幅が狭く、魚類が通過する際に鳥類に捕食されることがあった。
【０００３】
そこで、魚道を通過する魚類を鳥類から守るために、例えば、特許文献１には、魚道の上流及び下流に支持部材を設置し、これらの支持部材の間に亘って、魚道の表面近傍の高さに防鳥糸を複数張設することが記載されている。
【特許文献１】特開２００６−１５８２７７号公報
【発明の開示】
【発明が解決しようとする課題】
【０００４】
しかしながら、上記特許文献１記載の手法では、魚道の水位が上昇した場合には、防鳥糸の一部が水没してしまい、この箇所において鳥類により魚類が捕食されてしまう虞がある。また、魚道の水位が下降した場合には、防鳥糸が水面から離れてしまうため、防鳥糸の下方に鳥類が入り込み、やはり、魚類が捕食されてしまう虞がある。このため、防鳥糸の高さを水面より略一定の高さに保つべく、魚道の水位が変化した場合には、作業員が支持部材をロープ等により引き上げて防鳥糸の高さを調整しなければならず、非常に手間がかかった。
【０００５】
本発明は、上記の問題に鑑みなされたものであり、その目的は、人力によらずに魚道の水位に合わせて防鳥糸の高さを水面から略一定の高さに保つことができるようにすることである。
【課題を解決するための手段】
【０００６】
本発明の防鳥装置は、魚類を通過させるための魚道の上方に、幅方向に間隔をおいて前記魚道の流れの方向に延びるように複数の防鳥糸が張設されてなる防鳥装置であって、前記防鳥糸の少なくとも一端は前記魚道に浮遊するフロート部材に接続されていることを特徴とする。
【０００７】
また、上記の防鳥装置は、前記防鳥糸に張力を加える機構を備えてもよい。
【発明の効果】
【０００８】
本発明によれば、フロートに防鳥糸の端部を取り付けたため、魚道の水面が上昇及び下降しても、これに合わせてフロートが上昇及び下降し、魚道の水面に対して防鳥糸の高さを略一定に保つことができる。
【発明を実施するための最良の形態】
【０００９】
以下、本発明の防鳥装置の一実施形態を図面を参照しながら、詳細に説明する。
図１は、本実施形態の防鳥装置の取り付けられる魚道２０を示す平面図である。同図に示すように、魚道２０は、魚類がダム１０の下流側から上流側へと遡上できるように設けられた水路であり、ダム１０の下流側の河川の側部から分かれて下流側へ延び、折り返し部５０において屈曲し、ダム１０の上流側６０まで到達するように設けられている。本実施形態の防鳥装置は、このような魚道２０において、魚道２０を通過する魚類を鳥類による捕食から守るためのものである。
【００１０】
図２は、本実施形態の防鳥装置３０の構成を示し、（Ａ）は鉛直断面図であり、（Ｂ）は平面図である。なお、同図には、ダム１０の下流側から折り返し部５０までの区間に設けられた防鳥装置３０を示しているが、これと同様の装置が、折り返し部５０からダム１０の上流側６０までの区間にも設けられている。図２に示すように、防鳥装置３０は、フロート３２と、フロート３２に一端が取り付けられた複数の防鳥糸３１と、防鳥糸３２をダム１０の壁面の上方まで案内する第１〜第３の滑車３６、３７、３９と、防鳥糸３２のダムの壁面の上方に取り付けられた第３の滑車３９より垂下する部分に取り付けられたウエイト４０とにより構成される。
【００１１】
複数の防鳥糸３１は、魚道２０を通過する魚類を捕食しようとする鳥類が魚道２０に接近した際に、鳥類の胴体や翼に接触するように、魚道２０水面から所定の高さ（例えば、５０ｃｍ程度）に、幅方向に鳥類が通過できないような所定の間隔（例えば、５０ｃｍ程度）をあけて張設されてなる。
【００１２】
フロート３２は、ガイド機構３８によって上下方向に案内される。ガイド機構３８は、ダムの壁面に取り付けられたレール３４と、フロート３２が接続され、レール３４に案内されて上下方向にのみ移動可能なローラー３３とにより構成される。魚道２０の水位が変化すると、それに応じてフロート３２はガイド機構３８に案内されながら上下に移動する。
【００１３】
複数の防鳥糸３１は、フロート３２から、魚道２０の幅方向に延びる支持部材３５に取り付けられた各防鳥糸３１に対応する複数の第１の滑車３６まで延びる。そして、これら複数の防鳥糸３１は一まとめにされ、一まとめにされた防鳥糸３１は、第２の滑車３７からダム壁面の上部に設置された第３の滑車３９まで延び、防鳥糸３１は、第３の滑車３９より垂下する。第３の滑車３９から垂下する防鳥糸３１の先端にはウエイト４０が取り付けられており、このウエイト４０の重量により、常時、防鳥糸３１に引張力が加えられることとなる。
【００１４】
図３は、魚道５の水量が増加し、水面が上昇した状態における防鳥装置２０を示す図である。同図に示すように、魚道５の水量が増加し、水面が上昇すると、フロート３２もこれに合わせて上昇する。そして、フロート３２が上昇することにより、フロート３２に接続された防鳥糸３１も上昇することとなり、防鳥糸３１は水面より略一定の高さに保たれる。なお、フロート３２が上昇することで、フロート３２と第１の滑車３７との距離が短くなるが、上記のように、常時、防鳥糸３１にウエイト４０の重量による引張力が加えられているため、たるみを生じることがない。
【００１５】
図４は、魚道５の水量が減少し、水面が低下した状態における防鳥装置２０を示す図である。同図に示すように、魚道５の水量が減少し、水面が下降すると、フロート３２もこれ合わせて下降する。そして、フロート３２が下降することで、フロート３２に接続された防鳥糸３１も下降することとなり、防鳥糸３１は水面より略一定の高さに保たれる。
【００１６】
以上説明したように、本実施形態の防鳥装置３０によれば、魚道５の水位の変化に合わせてフロート３２が上昇又は下降するため、フロート３２に端部が接続された防鳥糸３１の高さも変化する。このように、魚道５の水位が変化しても自動的に防鳥糸３１が略一定の高さに保たれるため、人の手により防鳥糸５の高さを調整する必要がなく、作業の手間を削減することができる。
【００１７】
なお、本実施形態では、防鳥糸３１を第２の滑車３７を介してダムの壁面の上方に向かって延びるようにし、ダムの壁面の上方まで到達した防鳥糸３１の第３の滑車３９を介して鉛直下方に延びる端部にウエイト４０を取り付けることとしたが、これに限らず、図５に示すように、防鳥糸３１を第２の滑車３７を介して鉛直下方に延びるようにして、第２の滑車３７を介して鉛直下方に延びる防鳥糸３１の先端にウエイト４０を取り付ける構成としてもよい。
【００１８】
また、本実施形態では、防鳥糸３１の下流側の端部をフロート３２に接続するものとしたが、これに限らず、魚道２０の上流側にガイド機構により上下方向に案内されるフロート３２を設け、防鳥糸３１の上流側の端部をこのフロート３２に取り付ける構成としてもよい。この場合、例えば、ダム１０の上方及び下方に滑車を設け、防鳥糸３１の下流側の端部を下方の滑車によりダム１０の上方に向かって案内し、さらに、ダム１０の上方に設けられた滑車を介して垂下させ、その下端に錘をつけること等により防鳥糸３１に張力を加えることができる。
【００１９】
さらに、魚道２０の上流側及び下流側にガイド機構により上下方向に案内されるフロート３２を設け、これらのフロート３２の間に防鳥糸３１を張設する構成としてもよい。この場合、例えば、上流側のフロート３２に滑車を取り付け、この滑車により防鳥糸３１の上流側の端部をダム１０の上方に案内し、さらに、ダム１０の上方に取り付けられた滑車より垂下させ、その下端に錘を取り付けることにより防鳥糸３１に張力を加えることができる。
【図面の簡単な説明】
【００２０】
【図１】本実施形態の防鳥装置の取り付けられる魚道を示す平面図である。
【図２】本実施形態の防鳥装置の構成を示し、（Ａ）は鉛直断面図であり、（Ｂ）は平面図である。
【図３】魚道の水量が増加し、水面が上昇した状態における防鳥装置を示す図である。
【図４】魚道の水量が減少し、水面が低下した状態における防鳥装置を示す図である。
【図５】第２の滑車から鉛直下方に延びる防鳥糸の先端にウエイトを取り付けた場合の防鳥装置を示す図である。
【符号の説明】
【００２１】
１０  ダム
２０  魚道
３０  防鳥装置
３１  防鳥糸
３２  フロート
３３  ローラー
３４  レール
３５  支持部材
３６  第１の滑車
３７  第２の滑車
３８  ガイド機構
３９  第３の滑車
４０  ウエイト
【図１】
0004959543.tif 000002
【図２】
0004959543.tif 000003
【図３】
0004959543.tif 000004
【図４】
0004959543.tif 000005
【図５】
0004959543.tif 000006